(57)【特許請求の範囲】
【請求項１】
船尾部に砕氷部を形成し後進航行する船舶において、船首部の衝突隔壁を設ける位置に対応する船尾部の位置として船尾端からの距離が０．０５Ｌｆまたは１０ｍの内小さい方の値以上で、かつ、０．０８Ｌｆを超えない位置に、船尾部衝突隔壁を設けることを特徴とする船尾部に衝突隔壁を設けた船舶。
【請求項２】
船首部の衝突隔壁を設ける位置に対応する船尾部の位置として、船首部の衝突隔壁を設ける位置と同等の距離を船尾端からとった位置としたことを特徴とする請求項１記載の船尾部に衝突隔壁を設けた船舶。
【発明の詳細な説明】
【０００１】
【発明の属する技術分野】
本発明は、船舶の衝突時の安全対策として、船尾部に衝突隔壁を設けた船舶に係わるものである。
【０００２】
【従来の技術】
船舶の衝突や座礁等により、積み荷が流出する事故が後を断たず、その都度、海洋汚染の問題が発生している。
船舶には、船級協会の規則によって、船首側には所定の位置に水密隔壁を設けることが定められており、船首部の衝突時の安全対策が図られている。
【０００３】
また、同規則には船尾隔壁および機関室隔壁を設けることも定められており、船舶が座礁したときにも浸水する区画を少なく抑えるように安全対策が図られている。
さらに、最近の船舶では船底あるいは船側について、二重船底あるいは二重船側を採用することにより事故を最小限に抑える方策も図られている。
【０００４】
図３、図４にタンカーの概略構造を例示している。１は船体であり、２は船首部水密隔壁である。該船首部水密隔壁２は、上甲板から船底まで、および左右両舷まで船首部の横断面全面に設けられ、最も船首側にあって、衝突隔壁と呼ばれている（以下船首部衝突隔壁とする）。
【０００５】
３は船倉であり、４は船倉隔壁である。５は二重船底、６は二重船側を示す。また、７は機関室、８はポンプ室、９は機関室隔壁兼船尾隔壁であり、１０は二重船底５や二重船側６間に配置されたバラストタンクである。なお、１１は居住区、１２は舵取機室を示す。
【０００６】
船首部衝突隔壁２は、船舶が衝突した際、船舶の安全を確保する隔壁としてとらえられていることから、衝突時船体の損傷が及ばず、かつ、該衝突隔壁２により形成される船首部区画が過大にならない位置に設けるように定められている。
つまり、船首部衝突隔壁を設ける位置は、船の乾玄用長さ（Ｌｆ）の前端からの距離が０．０５Ｌｆまたは１０ｍの内小さい値以上で、かつ、０．０８Ｌｆを超えない位置とされている。
【０００７】
このように、船舶は通常前進するものであるから、船首部の衝突に対する安全策は構じられているが、船尾部隔壁、機関室隔壁に対しては前記したような隔壁を設ける位置は定められておらず、船尾部の衝突に対応する安全性を考慮した方策は何ら図られていない現状にある。
【０００８】
最近、氷海域を航行するため砕氷能力を備え、氷海域では後進させ、砕氷しながら、後進航行する船舶も建造されている。このような船舶においては、船尾部の傾斜を大きくして砕氷部を形成しており、普通の船舶形状と較べて船尾部が長くなっている。このような船舶に対して、後進航行時に船尾部が衝突し、損傷した際の安全性を高めることが求められている。
【０００９】
【発明が解決しようとする課題】
本発明は、船尾部に砕氷部を形成し後進航行する船舶において、船尾部が衝突し、損傷した際の浸水の規模を小さく抑え、十分な復元性を確保し、船舶の安全性を高めることを目的とする。
【００１０】
【課題を解決するための手段】
船尾部に砕氷部を形成し後進航行する船舶において、船首部の衝突隔壁を設ける位置に対応する船尾部の位置として船尾端からの距離が０．０５Ｌｆまたは１０ｍの内小さい方の値以上で、かつ、０．０８Ｌｆを超えない位置に、船尾部衝突隔壁を設けるようにした。船首部の衝突隔壁を設ける位置と同等の距離を船尾端からとった位置に、船尾部衝突隔壁を設けるようにした。
【００１１】
【発明の実施の形態】
以下図に沿って、本発明の実施の形態について説明する。なお、図３、図４に示す従来型と同等の部分については同じ符号を付し、詳細な説明は省略する。
図１は本発明による船尾部衝突隔壁を設けた船舶の側面図であり、図２は同平面図である。
【００１２】
さて、１３は本発明による船尾部衝突隔壁であって、該船尾部衝突隔壁１３も前記船首部衝突隔壁２と同様に、上甲板から船底まで、および左右両舷まで船尾部の横断面全面に設けられている。
また、該船尾部衝突隔壁１３を設ける位置も、船級協会で定める船首部の衝突隔壁を設ける位置に対応する船尾部の位置としている。
【００１３】
これは、後進時には船尾部を前方と見立てて、船首部の衝突隔壁を設ける位置と同等の距離を船尾端からとった位置に船尾部衝突隔壁１３を設けている。
つまり、船尾部が衝突した際、船体の損傷が及ばず、かつ、該船尾部衝突隔壁１３により形成される船尾部区画が過大とならない位置となる。
【００１４】
なお、船級協会の規則では、船首部における衝突の位置を、船の乾玄用長さの前端に想定して定めたものであり、したがって、船首部衝突隔壁を設ける位置を船の乾玄用長さの前端からの距離ｌで定めている。
一方、船尾部においては、船尾形状からみて、船尾端が衝突する可能性が高いと想定される。
【００１５】
したがって、船尾部衝突隔壁１３を船尾端から所定の位置に設けるようにした。つまり、船尾端から船尾部衝突隔壁１３までの距離ｌ′を、０．０５Ｌｆまたは１０ｍの内小さい方の値以上で、かつ、０．０８Ｌｆを超えない位置に設けるようにした。
【００１６】
なお、１４はポッド型推進器であって、プロペラを備え、モータを内蔵したポッドを船尾部船体の下方に、ストラットによって回転可能に取り付け、モータによりプロペラを駆動し、推進力を得る推進器である。
後進時にはポッドを１８０°回転して航行する。ストラットは舵取機室１２に設置された回転装置によって回転される。
【００１７】
本発明の構成は以上の通りであって、船尾部が損傷した場合でも、船尾部衝突隔壁１３が船尾部からの浸水を防止することになる。
特に、船尾部に砕氷部を形成し、前後方向どちらへも航行する船舶では、船尾部が衝突する可能性があること、また、船尾部が長くなり、その容積が大きくなるので、船尾部衝突隔壁を設け、船尾部区画が過大にならないようにすることは、安全対策上、極めて有効である。
【００１８】
【発明の効果】
本発明は、船尾部に衝突隔壁を設けたので、仮に船尾部が衝突し、損傷した場合でも浸水の規模を小さく抑え、十分な復元性を確保でき、著しく船舶の安全性を高めることができた。
【図面の簡単な説明】
【図１】本発明による船尾部衝突隔壁を設けた船舶の側面図。
【図２】同平面図。
【図３】従来の船舶の側面図。
【図４】同平面図。
【符号の説明】
１  船体                            ２  船首部衝突隔壁
３  船倉                            ４  船倉隔壁
５  二重底                          ６  二重側壁
７  機関室                          ８  ポンプ室
９  機関室隔壁兼船尾隔壁          １０  バラストタンク
１１  居住区                        １２  舵取機室
１３  船尾部衝突隔壁                １４  推進器
【図１】
0004446612.tif 000002
【図２】
0004446612.tif 000003
【図３】
0004446612.tif 000004
【図４】
0004446612.tif 000005